(57)【特許請求の範囲】
【請求項１】
本体に構成された陳列室内に商品陳列用の棚を架設すると共に、前記陳列室の前面開口を透視可能な扉にて開閉自在に閉塞し、前記開口縁内側の本体には上下に渡って照明装置を取り付けて成るショーケースにおいて、
前記照明装置は、複数のＬＥＤ素子を備えたＬＥＤ照明部材と、該ＬＥＤ照明部材を保持して前記本体に取り付けられる保持部材とから構成され、前記ＬＥＤ素子からの光を前記棚の前部に向けて照射すると共に、
前記ＬＥＤ照明部材は、表面に前記複数のＬＥＤ素子が取り付けられた基板を備え、前記保持部材内には、前記基板の裏面側に位置する放熱用通路が形成されていることを特徴とするショーケース。
【請求項２】
前記保持部材は、前記ＬＥＤ照明部材の前記扉側に位置する反射板部が形成されていることを特徴とする請求項１に記載のショーケース。
【請求項３】
前記ＬＥＤ照明部材は、前記保持部材に対して上下位置変更可能とされていることを特徴とする請求項１に記載のショーケース。
【請求項４】
前記保持部材は、上下方向の軸を中心として回動可能とされていることを特徴とする請求項１に記載のショーケース。
【請求項５】
前記保持部材を回動させ、前記ＬＥＤ素子からの照射光により前記陳列室の後方まで照明するパターンと、前記ＬＥＤ素子からの照射光により前記陳列室の前部を満遍なく照明するパターンとに照明パターンを変更可能とされていることを特徴とする請求項４に記載のショーケース。
【発明の詳細な説明】
【技術分野】
【０００１】
本発明は、本体に構成された陳列室内に商品陳列用の棚を架設すると共に、陳列室の前面開口を透視可能な扉にて開閉自在に閉塞し、開口縁内側の本体には上下に渡って照明装置を取り付けて成るショーケースに関するものである。
【背景技術】
【０００２】
従来この種のショーケースにおいては、前面開口縁中央部又は開口縁両側に上下方向の支柱を立設し、この支柱後面に蛍光灯を取り付け、陳列室内を前方から照明している（例えば、特許文献１及び特許文献２参照）。
【０００３】
ここで、図１０及び図１１を参照して従来の蛍光灯による照明について説明する。図１０はリーチインショーケース１００の一部の照明状態を示す正面図、図１１は図１０の照明状態を示す部分拡大断面図をそれぞれ示している。
【０００４】
ショーケース１００を構成する本体１０１は前面が開口する断面略コ字状を呈しており、外箱１０２と、内部に陳列室１０４を構成する内箱と、これら両箱間に充填される断熱材とから構成されている。陳列室１０４内には、上下に複数段の棚１０７・・・が架設されている。また、内箱前面には、左右両側及びこれら両側部と所定間隔を存して複数の支柱１０６が立設されており、それぞれの支柱１０６間には、陳列室１０４の前面開口を開閉自在に閉塞する扉１０５・・・が設けられている。この扉１０５は、一側端を回動可能に支柱１０６に支持され、当該一側を中心として回動させることにより、開放可能とされている。
【０００５】
そして、この支柱１０６の後面には、上下に渡って陳列室照明用の蛍光灯１０８が設置されている。なお、図１０では、蛍光灯１０８の取付位置を明示するため、扉１０５の前側に図示しているが、実際には、蛍光灯１０８は、陳列室１０４内に位置する支柱１０６の後面に設けられている。これにより、陳列室１０４内の棚１０７上に陳列収納される商品は、蛍光灯１０８により照明される。
【特許文献１】特開平８−２２４１５０号公報
【特許文献２】実用新案登録第２５４６３０２号公報
【発明の開示】
【発明が解決しようとする課題】
【０００６】
ここで、支柱１０６の後面に設けられた蛍光灯１０８により照射される光は、当該蛍光灯１０８を構成する蛍光管外面より拡散されて陳列室１０４内を照明する。しかしながら、蛍光灯１０８からの光は陳列室１０４方向に向かって拡散するため、棚１０７の前部中央まで十分な光量を照射することができない。図１０及び図１１にてハッチングにて示される部分が、十分な光量が供給されず、暗くなっている部分を示している。
【０００７】
このように、蛍光灯１０８から離れた位置にある棚１０７の前部中央や陳列室１０４の天板付近やデッキパン付近は、他の部分に比べて暗くなり、十分な商品照明を実現できないという問題がある。特に、正面に向かって商品が陳列されるショーケース１００では、棚１０７上の最前部の商品を照らし出す必要があるが、透視可能な扉１０５越しに見える棚１０７の前部中央の商品を照明することができないこととなる。これにより、ショーケース全体としての陳列効果や演出効果が低下すると共に、最も購買促進が期待される棚中央付近の商品を照明することができないことによる不都合が生じていた。
【０００８】
また、支柱１０６が設けられることにより、当該支柱１０６の後方に位置する棚１０７上には、商品の陳列が行われない。しかし、蛍光灯１０８は支柱１０６の後面に設けられることから、当該支柱１０６後方にも蛍光灯１０８からの光が照射されることとなり、光が無駄に拡散されていた。
【０００９】
本発明は、従来の技術的課題を解決するために成されたものであり、陳列室内の棚上に陳列される商品、特に棚最前部の商品を効果的に照明することができるショーケースを提供する。
【課題を解決するための手段】
【００１０】
本発明のショーケースは、本体に構成された陳列室内に商品陳列用の棚を架設すると共に、陳列室の前面開口を透視可能な扉にて開閉自在に閉塞し、開口縁内側の本体には上下に渡って照明装置を取り付けて成るものであって、照明装置は、複数のＬＥＤ素子を備えたＬＥＤ照明部材と、該ＬＥＤ照明部材を保持して本体に取り付けられる保持部材とから構成され、ＬＥＤ素子からの光を棚の前部に向けて照射すると共に、ＬＥＤ照明部材は、表面に複数のＬＥＤ素子が取り付けられた基板を備え、保持部材内には、基板の裏面側に位置する放熱用通路が形成されていることを特徴とする。
【００１１】
請求項２の発明のショーケースは、上記発明において、保持部材は、ＬＥＤ照明部材の扉側に位置する反射板部が形成されていることを特徴とする。
【００１２】
請求項３の発明のショーケースは、上記請求項１の発明において、ＬＥＤ照明部材は、保持部材に対して上下位置変更可能とされていることを特徴とする。
【００１３】
請求項４の発明のショーケースは、上記請求項１の発明において、ＬＥＤ照明部材を保持して本体に取り付けられる保持部材とから構成されており、該保持部材は、上下方向の軸を中心として回動可能とされていることを特徴とする。
【００１４】
請求項５の発明のショーケースは、上記発明において、保持部材を回動させ、ＬＥＤ素子からの照射光により陳列室の後方まで照明するパターンと、ＬＥＤ素子からの照射光により陳列室の前部を満遍なく照明するパターンとに照明パターンを変更可能とされていることを特徴とする。
【発明の効果】
【００１５】
本発明のショーケースは、本体に構成された陳列室内に商品陳列用の棚を架設すると共に、陳列室の前面開口を透視可能な扉にて開閉自在に閉塞し、開口縁内側の本体には上下に渡って照明装置を取り付けて成るものであって、照明装置は、ＬＥＤ素子から構成され、該ＬＥＤ素子からの光を棚の前部に向けて照射するので、指向性の高いＬＥＤ素子からの光を棚の前部に向けて照射することができる。これにより、棚上、特に最前部の商品を満遍なく良好に照明することが可能となり、照明効果の向上を図ることができる。
【００１６】
特に、照明装置は、複数のＬＥＤ素子を備えたＬＥＤ照明部材と、該ＬＥＤ照明部材を保持して本体に取り付けられる保持部材とから構成されており、ＬＥＤ照明部材は、表面に複数のＬＥＤ素子が取り付けられた基板を備え、保持部材内には、基板の裏面側に位置する放熱用通路が形成されているので、ＬＥＤ素子への通電により発熱する基板からの廃熱を円滑に放熱用通路にて放熱することが可能となる。従って、当該ＬＥＤ照明部材の劣化や故障を防止・抑制することができる。
【００１７】
請求項２の発明によれば、上記発明に加えて、保持部材は、ＬＥＤ照明部材の扉側に位置する反射板部が形成されているので、ＬＥＤ素子からの光が直接、ショーケース正面の顧客に照射されないこととなり、光が眩しいなどの不都合を回避することができる。
【００１８】
また、ＬＥＤ素子からの照射光は、ＬＥＤ照明部材の扉側に位置する反射板部に反射して陳列室内を照明することが可能となるため、陳列室内をより効果的に照明することができる。
【００１９】
請求項３の発明によれば、上記請求項１の発明に加えて、ＬＥＤ照明部材は、保持部材に対して上下位置変更可能とされているので、陳列室内の棚の移動に伴って、当該保持部材に保持されるＬＥＤ照明部材の上下取付位置を変更することにより、当該棚上の商品を効率的に照明することが可能となる。
【００２０】
請求項４の発明によれば、上記請求項１の発明において、保持部材は、上下方向の軸を中心として回動可能とされているので、使用状況に応じて当該ＬＥＤ照明部材によって照明する方向を調整することが可能となる。
【００２１】
これにより、例えば請求項５の発明の如く保持部材を回動させ、ＬＥＤ素子からの照射光により陳列室の後方まで照明するパターンと、ＬＥＤ素子からの照射光により陳列室の前部を満遍なく照明するパターンとに照明パターンを変更することが可能となり、照明パターンを任意に変更して、多様な照明を実現することができる。
【発明を実施するための最良の形態】
【００２２】
以下、図面に基づいて本発明の実施形態を詳述する。図１は本発明を適用したショーケース１の正面図、図２はショーケース１の部分拡大断面図を示している。ショーケース１は、スーパーマーケットやコンビニエンスストアなどに設置される低温ショーケースで、前面に開口した断熱箱体（断熱壁）２により本体が構成されている。
【００２３】
この断熱箱体２は、前面に開口する鋼板製の外箱３と、この外箱３内に間隔を存して組み込まれ、前面に開口する鋼板若しくは硬質樹脂製の図示しない内箱と、外箱３及び内箱間に発泡充填された発泡ポリウレタンからなる断熱材にて構成されている。
【００２４】
この内箱内に陳列室５が構成されると共に、陳列室５の前面開口６の上端から下端に渡って内部を透視可能とされる複数（本実施例では３つ）の回動式のガラス扉７、７、７にて開閉自在に閉塞されている。このガラス扉７は、扉縁部を構成する枠体７Ａと、当該枠体７Ａ内に設けられる内部を透視可能なガラス板７Ｂとから構成されており、枠体７Ａの後面には、ガスケット７Ｃが設けられている。
【００２５】
断熱箱体２の前面開口６縁には、所定間隔を存して複数（この場合、扉７が３つ設けられているため、２つ）の支柱８が上下に渡って設けられている。係る支柱８は、例えば断熱材によって構成される柱状の部材である。そのため、各ガラス扉７は、後面のガスケット７Ｃが前面開口６縁部と、支柱８前面とに密着することにより、陳列室５内を閉塞している。
【００２６】
また、陳列室５の背面及び前部には、上下に渡って棚支柱１０が立設されており、当該棚支柱１０には、複数段の棚９が架設されている。なお、当該棚支柱１０には、所定間隔を存して複数の係合孔が形成されており、棚９を架設する係合孔を変更することにより、棚９の高さ位置を変更することができる。
【００２７】
なお、本実施例では、前記支柱８の後方に対応して陳列室５の背面及び前部に棚支柱１０が設けられている。そのため、各棚９は、各ガラス扉７の後方に対応してそれぞれ複数段架設されている。
【００２８】
また、陳列室５内上部には、図示しない冷却装置の冷却器と送風機が設置されている。冷却器は、別置きで設置される図示しない圧縮機及び凝縮器等と所謂冷凍サイクルを構成する冷却装置を構成するものであり、この冷却器からの冷気を送風機にて陳列室５に強制循環することによって、陳列室５内は所定の温度に冷却される。
【００２９】
次に、上記図２及び図３乃至図７を参照して陳列室５内に設けられる照明装置１５について詳述する。図３は照明装置１５の側面図、図４は図３の部分拡大図、図５は冷気の流れを示す照明装置１５の一部省略斜視図、図６は照明装置１５の横断面図、図７は支柱８に設けられる照明装置１５、１５の横断面図（支柱８は省略）をそれぞれ示している。
【００３０】
本実施例において、本体を構成する断熱箱体２の開口６縁内側、具体的には、陳列室５の前隅角部及び支柱８の後面には、上下に渡って照明装置１５が設けられている。この照明装置１５は、複数のＬＥＤ照明部材１６と、当該ＬＥＤ照明部材１６を保持して断熱箱体２の開口６縁内側に取り付けられる保持部材２１と、シェード３０、カバー部材３１とから構成されている。
【００３１】
ＬＥＤ照明部材１６は、複数のＬＥＤ素子１７が配設された基板１８により構成されており、当該基板１８は熱良導性の取付板２０に固定されている。なお、この取付板２０には、保持部材２１にネジ止めにて固定するためのネジ穴が形成されている。基板１８は、長手方向に延在して構成されており、当該基板１８には、所定間隔を存して複数のＬＥＤ素子１７が取り付けられている。本実施例におけるＬＥＤ素子１７は、チップタイプの白色のＬＥＤ素子である。
【００３２】
保持部材２１は、断熱箱体２の前面開口６に対し上下に延在して構成される部材である。保持部材２１は、断面略コ字状を呈しており、上下端部は、カバー部材３１にて閉塞されている。なお、当該カバー部材３１には、詳細は後述する如く内部に冷気の流通を可能とするための連通孔３２が形成されている。
【００３３】
この保持部材２１の前壁は支柱８の後面若しくは、断熱箱体２の前隅角部を構成する前壁後面に当接して取り付けられる取付面２２と、当該取付面２２の端部が所定角度にて後方に向けて折曲された反射板部２３が形成されている。
【００３４】
そして、略コ字状の開口部と対向する側壁２４は、取付面２２の端部から略直角に後方に折曲されて形成されており、当該側壁２４後端は、保持部材内方、即ち開口部側に向けて突出した照明部材取付部２５が形成されている。この照明部材取付部２５は、断熱箱体２の前面開口６に対し上下に延在して構成されていると共に、複数の上下に渡って長く延在する長孔２６・・・が形成されている。この長孔２６は、前記ＬＥＤ照明部材１６の取付板２０のネジ穴と重合して螺合により固定するための孔であり、当該長孔２６の長さ寸法だけＬＥＤ照明部材１６の上下取付位置を変更することが可能とされる。また、略コ字状の後壁には、シェード３０を係合するための係合部２７が形成されている。
【００３５】
シェード３０は、保持部材２１内を外方から被覆するための透光性の無色透明の材料により構成されており、保持部材２１の上部及び下部に形成されるシェード取付片２８と重合して化粧ビスなどにより着脱自在に取り付けられる。図５中２９は、化粧ビスにてシェード３０を固定するためのネジ穴である。
【００３６】
係る構成により、照明装置１５の取付手順について説明する。先ず初めに、保持部材２１を断熱箱体２の開口６縁内側に取り付ける。本実施例では、各ガラス扉７の両側に位置して照明装置１５を取り付けるため、陳列室５の前両隅角部と、支柱８の後面に取り付ける。なお、支柱８は、ガラス扉７、７間に位置して設けられるため、２つの保持部材２１を、それぞれの側壁２４が当接した状態（図２及び図７の状態）で、取り付ける。また、前隅角部に設けられる照明装置１５は、ＬＥＤ素子１７による照射光が陳列室５内方に向けて照射されるように取り付ける。
【００３７】
そして、ＬＥＤ素子１７が取り付けられた取付板２０を保持部材２１の照明部材取付部２５に宛がい、取付板２０のネジ穴と長孔２６とを重合させてネジにより固定する。このとき、照明部材取付部２５を図６に示すように断熱箱体２の開口６縁に対し少許後方に向けて傾斜して形成されている。なお、本実施例では、上述した如きＬＥＤ照明部材１６を保持部材２１に複数（４つ）、取り付けている。ただし、当該照明装置１５は、前面開口６の上端及び下端に渡って構成される単一のＬＥＤ照明部材１６により構成し、取り付けられる長孔２６により上下位置を変更可能としても良いが、本実施例の如く複数のＬＥＤ照明部材１６により構成することで、生産コストの低減を図ることができると共に、取扱性の向上を図ることが可能となる。
【００３８】
また、取付板２０が固定される照明部材取付部２５は、側壁２４よりも内方に（保持部材２１の開口側）突出して構成されているため、保持部材２１内において側壁２４と取付板２０、即ち、基板１８の裏側との間には、放熱用通路３３が形成される。なお、当該放熱用通路３３の上下端は、カバー部材３１に形成される連通孔３２と連通される。
【００３９】
また、保持部材２１の反射板部２３は、ＬＥＤ照明部材１６のガラス扉７側に位置して設けられることとなる。そして、保持部材２１の開口側には、ＬＥＤ照明部材１６を外方から被覆するためのシェード３０を取り付ける。なお、当該シェード３０は、保持部材２１の開口側に形成される係合部２７と反射板部２３の端部により着脱自在に係止され、これにより、シェード３０は、ガラス扉７と略平行よりは少許陳列室５内方に向けて取り付けられる。
【００４０】
なお、上述した如き冷却装置を構成する圧縮機や送風機、照明装置１５等は、汎用のマイクロコンピュータにより構成される制御装置Ｃにより制御される。また、この制御装置Ｃには、ショーケース１に近づいた人を感知するための人感センサ１１が接続されている。なお、当該人感センサ１１は、例えば断熱箱体２の上部中央前面等に設けられている。
【００４１】
そのため、人感センサ１１がショーケース１に人が近づいたことを感知すると、制御装置Ｃは、前記照明装置１５への通電を行い、陳列室５前側方からの照明を行う。なお、制御装置Ｃは、人感センサ１１が人が近づいたことを検出しなくなると、その時点から所定時間経過した後に、前記照明装置１５への通電を停止する。
【００４２】
係る構成により、保持部材２１の照明部材取付部２５に固定される照明部材１６のＬＥＤ素子１７からの光は、ガラス扉７の両側部後方より横方向（ガラス扉７に対し略平行）に向けて照射される。なお、本実施例では、上述したように断熱箱体２の開口６縁に対し少許後方（陳列室５側）に向けて傾斜して形成されている。これにより、陳列室５内に架設される棚９の前部に向けて照明装置１５からの光を照射するので、指向性の高いＬＥＤ素子１７からの光を棚９の前部に向けて照射することができる。これにより、棚９上、特に最前部の商品を満遍なく良好に照明することが可能となり、商品の正面を効果的に照明することができる。従って、商品の照明効果・陳列効果の向上を図ることができる。
【００４３】
また、当該照明装置１５は、支柱８の後方等の商品の陳列が行われていない部分への照明を極力低減し、商品が陳列されている棚９上への光の照射を効率的に行うことが可能となるため、照射光の無駄を抑制することができる。
【００４４】
更に、ＬＥＤ素子１７は、蛍光灯に比して耐用年数が著しく長いため、照明の交換作業を不要とすることができる。そのため、交換部品の常備や交換によって排出される廃棄物の処理など煩雑な作業を不要とすることができる。
【００４５】
なお、本実施例では、ＬＥＤ照明部材１６を少許後方に向けて傾斜して取り付けているが、これに限定されるものではなく、ガラス扉７に対し平行（横方向）に取り付けても良い。
【００４６】
また、各ＬＥＤ照明部材１６を保持する保持部材２１には、ＬＥＤ照明部材１６のガラス扉７側に位置する反射板部２３が形成されているので、ＬＥＤ素子１７からの光が直接、ショーケース１正面の顧客に照射されないこととなり、光が眩しいなどの不都合を回避することができる。
【００４７】
また、ＬＥＤ素子１７からの照射光は、ＬＥＤ照明部材１６のガラス扉７側に位置し、所定角度後方に折曲して形成される反射板部２３に反射して陳列室５内を照明することが可能となるため、陳列室５内をより効果的に照明することができる。
【００４８】
更に、本実施例では、各ＬＥＤ照明部材１６を保持する保持部材２１の照明部材取付部２５には、上下方向に延在する長孔２６が形成されているため、当該長孔２６とのＬＥＤ照明部材１６（取付板２０）の取付位置を変更することによって、ＬＥＤ照明部材１６は、図４に矢印にて示すように、保持部材２１に対して上下位置を変更して取り付けることが可能となる。
【００４９】
これにより、陳列室５内の棚９の移動や商品の陳列状況に応じて、当該保持部材２１に保持されるＬＥＤ照明部材１６の上下取付位置を変更することにより、当該棚９上の商品を効率的に照明することが可能となる。
【００５０】
また、ＬＥＤ照明部材１６を取り付ける保持部材２１内には、基板１８の裏面側に位置する放熱用通路３３が形成されているので、ＬＥＤ素子１７への通電により発熱する基板１８からの廃熱を円滑に放熱用通路３２にて放熱することが可能となる。従って、当該ＬＥＤ照明部材１６の劣化や故障を防止・抑制することができる。なお、放熱用通路３２内には、保持部材２１の上下端に設けられるカバー部材３１の連通孔３２を介して陳列室５内を循環する冷気が流通可能とされているため（図５参照）、円滑に、ＬＥＤ照明部材１６の基板１８からの廃熱を放熱することが可能となる。
【００５１】
また、本実施例では、照明装置１５を構成する保持部材２１は、支柱８後面や断熱箱体２の開口６縁前隅角部などの本体の前面開口６縁内側に固定しているが、これに限定されるものではなく、図８に示すように、断熱箱体２の開口６縁に位置する支柱８側面や内箱側面（本体）に、回動部材４０を取り付け、ＬＥＤ照明部材１６が設けられた保持部材２１を上下方向の軸４１を中心として回動可能としても良い。
【００５２】
具体的には、回動部材４０は、陳列室５側に突出した上下方向の軸部４０Ａを有し、当該軸部４０Ａを前記保持部材２１に取り付けられるカバー部材３１の連通孔３２に挿入し回動自在に取り付ける。なお、この軸部４０Ａには、上下方向に貫通した連通孔４２が形成されているものとする。
【００５３】
これにより、使用状況に応じて保持部材２１を軸４１を中心として回動させることで、当該ＬＥＤ照明部材１６による光の照射方向を調整することが可能となる（図９参照）。そのため、保持部材２１をより後方に回動させることで、ＬＥＤ素子１７からの照射光により陳列室５の後方まで照明することができると共に、当該保持部材２１をより前方に回動させることで、ＬＥＤ素子１７からの照射光により陳列室５の前部（主として棚９の最前部）を満遍なく良好に照明することができる。これにより、照明パターンを任意に、且つ、容易に変更することが可能となり、多様な照明を実現することができる。
【図面の簡単な説明】
【００５４】
【図１】本発明を適用したショーケースの正面図である。
【図２】図１のショーケースの部分拡大断面図である。
【図３】照明装置の側面図である。
【図４】図３の部分拡大図である。
【図５】冷気の流れを示す照明装置の一部省略斜視図である。
【図６】照明装置の横断面図である。
【図７】支柱に設けられる照明装置の横断面図（支柱を省略）である。
【図８】他の実施例としての照明装置の部分拡大図である。
【図９】図８の照明装置の回動状態を示す横断面図である。
【図１０】従来のリーチインショーケースの一部の照明状態を示す正面図である。
【図１１】図１０の照明状態を示す部分拡大断面図である。
【符号の説明】
【００５５】
１    ショーケース
２    断熱箱体（本体）
５    陳列室
６    前面開口
７    ガラス扉（扉）
８    支柱
９    棚
１１  人感センサ
１５  照明装置
１６  ＬＥＤ照明部材
１７  ＬＥＤ素子
１８  基板
２０  取付板
２１  保持部材
２２  取付面
２３  反射板部
２４  側壁
２５  照明部材取付部
２６  長孔
２８  シェード取付片
３０  シェード
３１  カバー部材
３２  連通孔
３３  放熱用通路
４０  回動部材
４０Ａ  軸部
４１  軸
４２  連通孔
【図１】
0005311798.tif 000002
【図２】
0005311798.tif 000003
【図３】
0005311798.tif 000004
【図４】
0005311798.tif 000005
【図５】
0005311798.tif 000006
【図６】
0005311798.tif 000007
【図７】
0005311798.tif 000008
【図８】
0005311798.tif 000009
【図９】
0005311798.tif 000010
【図１０】
0005311798.tif 000011
【図１１】
0005311798.tif 000012